【手続補正書】
【提出日】平成18年2月20日(2006.2.20)
【手続補正１】
【補正対象書類名】明細書
【補正対象項目名】発明の名称
【補正方法】変更
【補正の内容】
【発明の名称】映像情報処理装置及び映像情報処理方法
【手続補正２】
【補正対象書類名】明細書
【補正対象項目名】特許請求の範囲
【補正方法】変更
【補正の内容】
【特許請求の範囲】
【請求項１】  飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理装置において、
入力された前記飛び越し走査による映像情報を複数のフィールドに亘って記憶する映像情報記憶手段と、
入力された前記飛び越し走査による映像情報、および前記映像情報記憶手段に記憶された映像情報の少なくとも一方から、複数のフィールドにおける画素毎の動き情報を生成する参照画素動き情報生成手段と、
前記参照画素動き情報生成手段により生成された画素毎の動き情報のうち、前記補間画素と同一フィールド内の画素の動き情報から、前記補間画素の動き情報を生成するフィールド内補間画素動き情報生成手段と、
前記参照画素動き情報生成手段により生成された画素毎の動き情報のうち、前記補間画素と同一位置における前後のフィールドの画素の動き情報から、前記補間画素の動き情報を生成するフィールド間補間画素動き情報生成手段と、
前記フィールド内補間画素動き情報生成手段により生成された補間画素の動き情報と、前記フィールド間補間画素動き情報生成手段により生成された補間画素の動き情報とから、前記補間画素の動き情報を判定する補間画素動き判定手段と、
前記補間画素動き判定手段により判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択手段とを備えたことを特徴とする映像情報処理装置。
【請求項２】  飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理装置において、
入力された前記飛び越し走査による映像情報を複数のフィールドに亘って記憶する映像情報記憶手段と、
入力された前記飛び越し走査による映像情報、および前記映像情報記憶手段に記憶された映像情報の少なくとも一方から、画素毎の動き情報を生成する参照画素動き情報生成手段と、
前記参照画素動き情報生成手段により生成された動き情報を複数のフィールドに亘って記憶する参照画素動き情報記憶手段と、
前記参照画素動き情報記憶手段に記憶されている動き情報のうち、前記補間画素と同一フィールド内の画素の動き情報から、前記補間画素の動き情報を生成するフィールド内補間画素動き情報生成手段と、
前記参照画素動き情報生成手段により生成された動き情報、および前記参照画素動き情報記憶手段に記憶されている動き情報のうち、前記補間画素と同一位置における前後のフィールドの画素の動き情報から、前記補間画素の動き情報を生成するフィールド間補間画素動き情報生成手段と、
前記フィールド内補間画素動き情報生成手段により生成された補間画素の動き情報と、前記フィールド間補間画素動き情報生成手段により生成された補間画素の動き情報とから、前記補間画素の動き情報を判定する補間画素動き判定手段と、
前記補間画素動き判定手段により判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択手段とを備えたことを特徴とする映像情報処理装置。
【請求項３】  前記参照画素動き情報生成手段は、入力された前記飛び越し走査による映像情報、および前記映像情報記憶手段に記憶されている映像情報から、フレーム間の差分情報を検出するフレーム間差分情報検出手段を備え、前記フレーム間差分情報検出手段により検出されたフレーム間の映像情報の差分情報から、画素毎の動き情報を生成することを特徴とする請求項１または２記載の映像情報処理装置。
【請求項４】  前記参照画素動き情報生成手段は、前記フレーム間差分情報検出手段により検出された、参照画素と同一位置の前後のフレームの画素の差分情報から、前記参照画素の動き情報を生成するフレーム間参照画素動き情報生成手段を備え、前記参照画素の動き情報を生成することを特徴とする請求項３記載の映像情報処理装置。
【請求項５】  前記フレーム間参照画素動き情報生成手段は、前記参照画素と同一位置における前後のフレームの画素の差分情報がいずれも動画としての差分情報である場合、前記参照画素の動き情報を動画とし、それ以外の場合、前記参照画素の動き情報を静止画とすることを特徴とする請求項４記載の映像情報処理装置。
【請求項６】  前記フィールド内補間画素動き情報生成手段は、前記補間画素と同一フィールド内の画素の動き情報のうち、参照するいずれかの画素の動き情報が動画である場合、前記補間画素の動き情報を動画とし、それ以外の場合、前記補間画素の動き情報を静止画とし、前記フィールド間補間画素動き情報生成手段は、前記補間画素と同一位置における前後のフィールドの画素の動き情報がいずれも動画である場合、前記補間画素を動画とし、それ以外の場合、前記補間画素の動き情報を静止画とし、前記補間画素動き判定手段は、前記フィールド内補間画素動き情報生成手段により生成された前記補間画素の動き情報、および前記フィールド間補間画素動き情報生成手段により生成された前記補間画素の動き情報のうち、いずれかの補間画素の動き情報が動画である場合、前記補間画素の動き情報を動画とし、それ以外の場合、前記補間画素の動き情報を静止画とすることを特徴とする請求項１乃至５のいずれかに記載の映像情報処理装置。
【請求項７】  前記補間画素動き判定手段により生成された補間画素の動き情報を、１フレーム期間あるいは複数フレーム期間に亘って記憶する補間画素動き情報記憶手段と、前記補間画素動き判定手段により生成された前記補間画素の動き情報、および前記補間画素動き情報記憶手段に記憶されている複数フレームの補間画素の動き情報から、前記補間画素の動き情報を判定する第２の補間画素動き判定手段とを備え、前記選択手段は、前記第２の補間画素動き判定手段により判定された補間画素の動き情報にしたがって、前記補間画素を含むフィールドより過去のフィールドにおける前記補間画素と同一位置の画素情報、およびフィールド内の画素情報から生成された画素情報のいずれかを選択して補間画素情報とすることを特徴とする請求項１乃至６のいずれかに記載の映像情報処理装置。
【請求項８】  前記第２の補間画素動き判定手段は、前記補間画素動き判定手段により判定された前記補間画素の動き情報、および前記補間画素動き情報記憶手段に記憶されている前フレームの補間画素の動き情報のいずれも動画である場合、前記補間画素の動き情報を動画とし、それ以外の場合、前記補間画素の動き情報を静止画とするか、あるいは前記補間画素動き判定手段により判定された前記補間画素の動き情報、および前記補間画素動き情報記憶手段に記憶されている前フレームの補間画素の動き情報のいずれかが動画である場合、前記補間画素の動き情報を動画とし、それ以外の場合、前記補間画素の動き情報を静止画とすることを特徴とする請求項７記載の映像情報処理装置。
【請求項９】  前記第２の補間画素動き判定手段は、前記補間画素動き判定手段により判定された前記補間画素の動き情報、および前記補間画素動き情報記憶手段に記憶されている複数フレームの補間画素の動き情報のうち、注目している補間画素の前後のフレームの補間画素の動き情報がいずれも動画である場合、注目している補間画素の動き情報を動画とし、それ以外の場合、前記補間画素動き情報記憶手段に記憶されている、注目している補間画素の動き情報をそのまま用いることを特徴とする請求項８記載の映像情報処理装置。
【請求項１０】  飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理方法において、
入力された前記飛び越し走査による映像情報を複数のフィールドに亘って記憶する映像情報記憶ステップと、
入力された前記飛び越し走査による映像情報、および前記映像情報記憶ステップで記憶された映像情報の少なくとも一方から、複数のフィールドにおける画素毎の動き情報を生成する参照画素動き情報生成ステップと、
前記参照画素動き情報生成ステップで生成された画素毎の動き情報のうち、前記補間画素と同一フィールド内の画素の動き情報から、前記補間画素の動き情報を生成するフィールド内補間画素動き情報生成ステップと、
前記参照画素動き情報生成ステップで生成された画素毎の動き情報のうち、前記補間画素と同一位置における前後のフィールドの画素の動き情報から、前記補間画素の動き情報を生成するフィールド間補間画素動き情報生成ステップと、
前記フィールド内補間画素動き情報生成ステップで生成された補間画素の動き情報と、前記フィールド間補間画素動き情報生成ステップで生成された補間画素の動き情報とから、前記補間画素の動き情報を判定する補間画素動き判定ステップと、
前記補間画素動き判定ステップで判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択ステップとを有することを特徴とする映像情報処理方法。
【請求項１１】  飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理装置において、
入力された前記飛び越し走査による映像情報を複数のフィールドに亘って記憶する映像情報記憶ステップと、
入力された前記飛び越し走査による映像情報、および前記映像情報記憶ステップで記憶された映像情報の少なくとも一方から、画素毎の動き情報を生成する参照画素動き情報生成ステップと、
前記参照画素動き情報生成ステップで生成された動き情報を複数のフィールドに亘って記憶する参照画素動き情報記憶ステップと、
前記参照画素動き情報記憶ステップで記憶された動き情報のうち、前記補間画素と同一フィールド内の画素の動き情報から、前記補間画素の動き情報を生成するフィールド内補間画素動き情報生成ステップと、
前記参照画素動き情報生成ステップで生成された動き情報、および前記参照画素動き情報記憶ステップで記憶された動き情報のうち、前記補間画素と同一位置における前後のフィールドの画素の動き情報から、前記補間画素の動き情報を生成するフィールド間補間画素動き情報生成ステップと、
前記フィールド内補間画素動き情報生成ステップで生成された補間画素の動き情報と、前記フィールド間補間動き情報生成ステップで生成された補間画素の動き情報とから、前記補間画素の動き情報を判定する補間画素動き判定ステップと、
前記補間画素動き判定ステップで判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択ステップとを有することを特徴とする映像情報処理方法。
【手続補正３】
【補正対象書類名】明細書
【補正対象項目名】０００１
【補正方法】変更
【補正の内容】
【０００１】
【発明の属する技術分野】
本発明は、テレビジョンにおける、飛び越し走査による映像情報を順次走査による映像情報に変換する映像情報処理装置及び映像情報処理方法に関する。
【手続補正４】
【補正対象書類名】明細書
【補正対象項目名】００３５
【補正方法】変更
【補正の内容】
【００３５】
そこで、本発明は、新たな誤検知を招くことなく、フレーム間のフィールドの動きを検出し、さらに動画の画素情報が前フレームの画素情報と同じであった場合、本来、動画として処理されるべき箇所が静止画として処理されてしまうような誤検知を防止でき、動き判定を正確に行うことができる映像情報処理装置及び映像情報処理方法を提供する。
【手続補正５】
【補正対象書類名】明細書
【補正対象項目名】００３６
【補正方法】変更
【補正の内容】
【００３６】
【課題を解決するための手段】
上記目的を達成するために、本発明の映像情報処理装置は、飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理装置において、入力された前記飛び越し走査による映像情報を複数のフィールドに亘って記憶する映像情報記憶手段と、入力された前記飛び越し走査による映像情報、および前記映像情報記憶手段に記憶された映像情報の少なくとも一方から、複数のフィールドにおける画素毎の動き情報を生成する参照画素動き情報生成手段と、前記参照画素動き情報生成手段により生成された画素毎の動き情報のうち、前記補間画素と同一フィールド内の画素の動き情報から、前記補間画素の動き情報を生成するフィールド内補間画素動き情報生成手段と、前記参照画素動き情報生成手段により生成された画素毎の動き情報のうち、前記補間画素と同一位置における前後のフィールドの画素の動き情報から、前記補間画素の動き情報を生成するフィールド間補間画素動き情報生成手段と、前記フィールド内補間画素動き情報生成手段により生成された補間画素の動き情報と、前記フィールド間補間画素動き情報生成手段により生成された補間画素の動き情報とから、前記補間画素の動き情報を判定する補間画素動き判定手段と、前記補間画素動き判定手段により判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択手段とを備えたことを特徴とする。
本発明の映像情報処理装置は、飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理装置において、入力された前記飛び越し走査による映像情報を複数のフィールドに亘って記憶する映像情報記憶手段と、入力された前記飛び越し走査による映像情報、および前記映像情報記憶手段に記憶された映像情報の少なくとも一方から、画素毎の動き情報を生成する参照画素動き情報生成手段と、前記参照画素動き情報生成手段により生成された動き情報を複数のフィールドに亘って記憶する参照画素動き情報記憶手段と、前記参照画素動き情報記憶手段に記憶されている動き情報のうち、前記補間画素と同一フィールド内の画素の動き情報から、前記補間画素の動き情報を生成するフィールド内補間画素動き情報生成手段と、前記参照画素動き情報生成手段により生成された動き情報、および前記参照画素動き情報記憶手段に記憶されている動き情報のうち、前記補間画素と同一位置における前後のフィールドの画素の動き情報から、前記補間画素の動き情報を生成するフィールド間補間画素動き情報生成手段と、前記フィールド内補間画素動き情報生成手段により生成された補間画素の動き情報と、前記フィールド間補間画素動き情報生成手段により生成された補間画素の動き情報とから、前記補間画素の動き情報を判定する補間画素動き判定手段と、前記補間画素動き判定手段により判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択手段とを備えたことを特徴とする。
本発明の映像情報処理方法は、飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理方法において、入力された前記飛び越し走査による映像情報を複数のフィールドに亘って記憶する映像情報記憶ステップと、入力された前記飛び越し走査による映像情報、および前記映像情報記憶ステップで記憶された映像情報の少なくとも一方から、複数のフィールドにおける画素毎の動き情報を生成する参照画素動き情報生成ステップと、前記参照画素動き情報生成ステップで生成された画素毎の動き情報のうち、前記補間画素と同一フィールド内の画素の動き情報から、前記補間画素の動き情報を生成するフィールド内補間画素動き情報生成ステップと、前記参照画素動き情報生成ステップで生成された画素毎の動き情報のうち、前記補間画素と同一位置における前後のフィールドの画素の動き情報から、前記補間画素の動き情報を生成するフィールド間補間画素動き情報生成ステップと、前記フィールド内補間画素動き情報生成ステップで生成された補間画素の動き情報と、前記フィールド間補間画素動き情報生成ステップで生成された補間画素の動き情報とから、前記補間画素の動き情報を判定する補間画素動き判定ステップと、前記補間画素動き判定ステップで判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択ステップとを有することを特徴とする。
本発明の映像情報処理方法は、飛び越し走査による映像情報を受信し、補間画素の動き情報を求め、該求められた補間画素の動き情報が静止画である場合、前記補間画素を含むフィールドより過去のフィールドの、前記補間画素と同一位置の画素情報を補間画素情報とする一方、前記補間画素の動き情報が動画である場合、該補間画素を含むフィールド内の画素情報から補間画素情報を生成することで、前記飛び越し走査による映像情報を順次走査による映像情報に変換する映像情報処理装置において、入力された前記飛び越し走査による映像情報を複数のフィールドに亘って記憶する映像情報記憶ステップと、入力された前記飛び越し走査による映像情報、および前記映像情報記憶ステップで記憶された映像情報の少なくとも一方から、画素毎の動き情報を生成する参照画素動き情報生成ステップと、前記参照画素動き情報生成ステップで生成された動き情報を複数のフィールドに亘って記憶する参照画素動き情報記憶ステップと、前記参照画素動き情報記憶ステップで記憶された動き情報のうち、前記補間画素と同一フィールド内の画素の動き情報から、前記補間画素の動き情報を生成するフィールド内補間画素動き情報生成ステップと、前記参照画素動き情報生成ステップで生成された動き情報、および前記参照画素動き情報記憶ステップで記憶された動き情報のうち、前記補間画素と同一位置における前後のフィールドの画素の動き情報から、前記補間画素の動き情報を生成するフィールド間補間画素動き情報生成ステップと、前記フィールド内補間画素動き情報生成ステップで生成された補間画素の動き情報と、前記フィールド間補間動き情報生成ステップで生成された補間画素の動き情報とから、前記補間画素の動き情報を判定する補間画素動き判定ステップと、前記補間画素動き判定ステップで判定された前記補間画素の動き情報にしたがって、前記補間画素を含むフィールドより過去のフィールドの、前記補間画素と同一位置の画素情報、およびフィールド内の画素情報から生成された画素情報のいずれかを選択して前記補間画素情報とする選択ステップとを有することを特徴とする。
【手続補正６】
【補正対象書類名】明細書
【補正対象項目名】００３７
【補正方法】変更
【補正の内容】
【００３７】
【発明の実施の形態】
本発明の映像情報処理装置及び映像情報処理方法の実施の形態について図面を参照しながら説明する。本実施形態の映像情報処理装置はＩＰ変換処理回路に適用される。
【手続補正７】
【補正対象書類名】明細書
【補正対象項目名】００９７
【補正方法】削除
【補正の内容】
【手続補正８】
【補正対象書類名】明細書
【補正対象項目名】００９８
【補正方法】削除
【補正の内容】
【手続補正９】
【補正対象書類名】明細書
【補正対象項目名】００９９
【補正方法】削除
【補正の内容】
【手続補正１０】
【補正対象書類名】明細書
【補正対象項目名】０１００
【補正方法】削除
【補正の内容】
【手続補正１１】
【補正対象書類名】明細書
【補正対象項目名】０１０１
【補正方法】削除
【補正の内容】
【手続補正１２】
【補正対象書類名】明細書
【補正対象項目名】０１０２
【補正方法】削除
【補正の内容】
【手続補正１３】
【補正対象書類名】明細書
【補正対象項目名】０１０３
【補正方法】削除
【補正の内容】
【手続補正１４】
【補正対象書類名】明細書
【補正対象項目名】０１０４
【補正方法】削除
【補正の内容】
【手続補正１５】
【補正対象書類名】明細書
【補正対象項目名】０１０５
【補正方法】削除
【補正の内容】
【手続補正１６】
【補正対象書類名】明細書
【補正対象項目名】０１０６
【補正方法】削除
【補正の内容】
【手続補正１７】
【補正対象書類名】明細書
【補正対象項目名】０１０７
【補正方法】削除
【補正の内容】
【手続補正１８】
【補正対象書類名】明細書
【補正対象項目名】０１０８
【補正方法】削除
【補正の内容】
【手続補正１９】
【補正対象書類名】図面
【補正対象項目名】図１
【補正方法】変更
【補正の内容】
【図１】
2004328398.tif 000001
【手続補正２０】
【補正対象書類名】図面
【補正対象項目名】図１５
【補正方法】変更
【補正の内容】
【図１５】
2004328398.tif 000002